(57)【要約】      （修正有）【課題】光脱毛装置において、高速脱毛処理を可能にする光脱毛装置を提供する。【解決手段】照射部を有する第１のハンドピース３Ａ及び第２のハンドピース３Ｂと、これら第１のハンドピース３Ａ及び第２のハンドピース３Ｂの各照射部を冷却する冷却水パイプを有する冷却部と、を備え、冷却水パイプは、第１のハンドピース３Ａの照射部を冷却する第１の分岐部３２Ａと、第２のハンドピース３Ｂの照射部を冷却する第２の分岐部３２Ｂを並行に設ける。ハンドピースの冷却を効率的に行えるようにし、デュアルのハンドピースを備えた光を出射する。【選択図】図３
2019213841.tif 000002
【特許請求の範囲】
【請求項１】
脱毛に有効な光により光脱毛処理を施す光脱毛装置であって、
前記光を出射する照射部を有する第１のハンドピース及び第２のハンドピースと、
前記第１のハンドピース及び第２のハンドピースの各照射部を冷却する冷却水パイプを有する冷却部と、を備え、
前記冷却水パイプには、前記第１のハンドピースの照射部を冷却する第１の分岐部と、前記第２のハンドピースの照射部を冷却する第２の分岐部とが並行に設けられ、
前記第１のハンドピース及び第２のハンドピースの各照射部において、照射ランプを前記冷却水から隔離した状態で、前記照射ランプの３方向に近接して前記冷却水を配置し、
さらに前記照射ランプと前記冷却水の間にペルチェ素子を配置した、ことを特徴とする光脱毛装置。
【請求項２】
脱毛に有効な光により光脱毛処理を施す光脱毛装置であって、
前記光を出射する照射部を有するハンドピースと、
前記照射部の出力を制御する制御部と、を備え、
前記制御部は、大きな出力を保持可能なコンデンサと、１つのパルスを複数の小パルスに分割する手段と、分割された前記小パルスを連結して合成パルスを形成する手段と、合成パルスを時間の経過と共に減衰させないようにする手段とを有し、安定な光の連射を可能とした、ことを特徴とする光脱毛装置。
【請求項３】
脱毛に有効な光により光脱毛処理を施す光脱毛装置であって、
前記光を出射する照射部を有するハンドピースと、
前記照射部の出力を制御する制御部と、を備え、
照射光の出力と波長の異なる複数種類のハンドピースをワンタッチで交換可能に構成した、ことを特徴とする光脱毛装置。
【請求項４】
脱毛に有効な光により光脱毛処理を施す光脱毛装置であって、
前記脱毛に有効な光を出射する照射部を有するハンドピースを備え、
前記照射部は、前記脱毛に有効な光を光導波部品を通して出射するように構成し、前記光導波部品は略直方体状に構成され、前記略直方体状で人体に当接する辺又は角の部分を丸みを帯びるように構成した、ことを特徴とする光脱毛装置。
【発明の詳細な説明】
【技術分野】
【０００１】
本発明は、キセノン管等のフラッシュランプによる光線を照射して脱毛処理を行う光脱毛装置に関する。
【背景技術】
【０００２】
脱毛の習慣は古来から有ったが、光線を照射して脱毛処理を行う光脱毛器については、１９８３年にアメリカでレーザ脱毛が発表され、その後、１９９７年に日本にレーザ脱毛器が輸入された。その光脱毛器は、もっぱら医療用に使用されたが、２０００年代になって、出力の弱い可視光線から出力の強い近赤外線領域の波長を用いる光脱毛装置が開発され、エステティック業界においても普及するようになった。
【０００３】
しかしながら、光脱毛機器の歴史はまだ浅く、現在使用されている脱毛機器の多くが中国や韓国で作られたもので、日本ではそれら部品の組立がなされる程度である。そのため、現在の日本製光脱毛器で世界に立ち向かえるものは存在せず、日本の知識と技術力で改良を加えて世界に立ち向かえる光脱毛装置の開発が期待されている。
【０００４】
この種の先行技術としては、例えば、特許文献１に記載されているようなものがある。
【先行技術文献】
【特許文献】
【０００５】
【特許文献１】再公表特許ＷＯ２０１３／１２１５２３号公報
【発明の概要】
【発明が解決しようとする課題】
【０００６】
特許文献１には、キセノン管の発光による光線を照射して脱毛処理を行う脱毛処理装置に関するものが記載されている。この特許文献１に記載された脱毛処理装置は、操作部を介してキセノン管へ通電を行う制御部と、その制御部に通電ケーブルを介して接続することにより脱毛照射操作を行うハンドピース本体と、により構成した脱毛処理装置において、ハンドピース本体の基端部に棒状のグリップ部を設けるとともに、ハンドピース本体を片手の平で把持可能な上面略凸半円弧状で両側面略偏平状に形成し、ハンドピース本体の略凸半円弧状の上面先端部に第１の照射ボタンを、グリップ部に第２の照射ボタンを、それぞれ配設したことを特徴としている。
このような構成を有する脱毛処理装置によれば、処理部位に応じてグリップを変えることが可能なハンドピースに、同一の機能を持つ操作ボタンを２か所設け、キセノン管の発光による光線の照射を安全、快適に操作することができる、という効果が期待される。
【０００７】
しかしながら、特許文献１に記載されている脱毛処理装置においては、脱毛処理に用いるハンドピースが１個であったため、必要な範囲の脱毛処理に多くの時間が必要とされ、効率の良い脱毛処理を行うことができないという問題があった。
特に、ハンドピースの照射部は熱を帯びるので長時間の連続使用ができず、また、光パルスの出力は使用時間とともに減衰する。また、顔用と体用とでは出力と波長が異なるため、同一のハンドピースを使用することができないという問題がある。更に、エステティック業界では、多くの顧客に対して効率的に処理するために、高速脱毛処理が要望されるが、これらは、いずれも高速脱毛処理を妨げる要素になっている。
【０００８】
本願発明は、このような従来の問題点に鑑みてなされたものであり、高速脱毛処理を可能にする光脱毛装置を提供することを目的としている。
より具体的には、（イ）ハンドピースの冷却を効率的に行えるようにし、デュアルのハンドピースを備えた光脱毛装置を提供する、（ロ）長時間の使用でもパルス出力が安定な光脱毛装置を提供する、（ハ）顔用ハンドピースと人体用ハンドピースとを簡単に差し替え可能な光脱毛装置を提供する、ことを目的としている。
【課題を解決するための手段】
【０００９】
上記課題を解決するために、本発明の第１の態様に係る光脱毛装置は、例えば図１ないし図３に示すように、脱毛に有効な光により光脱毛処理を施す光脱毛装置１であって、光を出射する照射部２０を有する第１のハンドピース３Ａ及び第２のハンドピース３Ｂと、第１のハンドピース３Ａ及び第２のハンドピース３Ｂの各照射部２０を冷却する冷却水パイプ３２を有する冷却部８と、を備え、冷却水パイプ３２には、第１のハンドピース３Ａの照射部２０を冷却する第１の分岐部３２Ａと、第２のハンドピース３Ｂの照射部２０を冷却する第２の分岐部３２Ｂとが並行に設けられ、第１のハンドピース３Ａ及び第２のハンドピース３Ｂの各照射部２０において、照射ランプ２１を冷却水から隔離した状態で、照射ランプ２１の３方向に近接して冷却水を配置し、さらに照射ランプ２１と冷却水の間にペルチェ素子を配置した、ことを特徴としている。
【００１０】
また、本発明の第２の態様に係る光脱毛装置は、例えば図４に示すように、脱毛に有効な光により光脱毛処理を施す光脱毛装置であって、光を出射する照射部２０を有するハンドピース３Ａ，３Ｂと、照射部２０の出力を制御する制御部７と、を備え、制御部７は、大きな出力を保持可能なコンデンサと、１つのパルスを複数の小パルスに分割する手段と、分割された小パルスを連結して合成パルスを形成する手段と、合成パルスを時間の経過と共に減衰させないようにする手段とを有し、安定な光の連射を可能とした、ことを特徴としている。
【００１１】
更に、本発明の第３の態様に係る光脱毛装置１は、脱毛に有効な光により光脱毛処理を施す光脱毛装置であって、光を出射する照射部２０を有するハンドピース３Ａ，３Ｂと、照射部２０の出力を制御する制御部７と、を備え、照射光の出力と波長の異なる複数種類のハンドピースをワンタッチで交換可能に構成した、ことを特徴としている。
【００１２】
更に、本発明の第４の態様に係る光脱毛装置１は、例えば図５Ａ，図５Ｂに示すように、脱毛に有効な光により光脱毛処理を施す光脱毛装置であって、脱毛に有効な光を出射する照射部２０を有するハンドピース３を備え、照射部２０は、脱毛に有効な光を光導波部品５０を通して出射するように構成し、光導波部品５０は略直方体状に構成され、略直方体状で人体に当接する辺又は角の部分を丸みを帯びるように構成した、ことを特徴としている。
【発明の効果】
【００１３】
本発明によれば、ハンドピースの冷却を効率的に行えるようにし、デュアルのハンドピースを備えた光脱毛装置を提供することができる。また、本発明によれば、長時間の使用でもパルス出力が安定な光脱毛装置を提供することができる。更に、顔用ハンドピースと人体用ハンドピースとを簡単に差し替え可能な光脱毛装置を提供することができる。
【図面の簡単な説明】
【００１４】
【図１】本発明の一実施例に係る光脱毛装置を斜め上方から見た外観斜視図の例である。
【図２】本発明の一実施例に係る光脱毛装置の機能構成の例を示す説明図である。
【図３】本発明の一実施例に係る光脱毛装置のハンドピースの冷却構成の例を示す説明図である。
【図４Ａ】本発明の一実施例に係る光脱毛装置の出力波形と従来の光脱毛装置の出力波形の例を示す説明図である。
【図４Ｂ】本発明の一実施例に係る光脱毛装置の出力の測定結果の例を示す図である。
【図５Ａ】本発明の一実施例に係る光脱毛装置のハンドピースの例を示す斜視図である。
【図５Ｂ】本発明の一実施例に係る光脱毛装置のハンドピース内の光導波部品の例を示す斜視図である。
【図６Ａ】本発明の一実施例に係る光脱毛装置の準備の概略を説明する画像遷移図の例である。
【図６Ｂ】本発明の一実施例に係る光脱毛装置の処理の概略を説明するフローチャートの例である。
【図７Ａ】本発明の一実施例に係る光脱毛装置のハンドピースの使用状態を説明するもので、体前面での使用の例を示す図である。
【図７Ｂ】本発明の一実施例に係る光脱毛装置のハンドピースの使用状態を説明するもので、体背面での使用の例を示す図である。
【図８】本発明の一実施例に係る光脱毛装置のハンドピースの使用状態を説明するもので、顔面での使用の例を示す図である。
【図９Ａ】本発明の一実施例に係る光脱毛装置の出力設定の一例で、肌が正常な人に適用する例を説明する図である。
【図９Ｂ】本発明の一実施例に係る光脱毛装置の出力設定の一例で、肌が弱い人・色素が濃い人に適用する例を説明する図である。
【発明を実施するための形態】
【００１５】
以下に、図１乃至図９を参照して、本発明の光脱毛装置の一実施例を説明する。
この実施例に係る光脱毛装置１は、図１に示すように、装置本体２と、照射操作部の一具体例を示す２個のハンドピース３Ａ，３Ｂと、装置本体２と２個のハンドピース３Ａ，３Ｂとの間を個別に接続する２本の接続ケーブル４等を備えて構成されている。
【００１６】
装置本体２は、図１に示すように、ケーシング５と、そのケーシング５の表面に取り付けられた操作部６、ケーシング５の内部に収容された制御部７及び冷却部８等によって構成されている。ケーシング５は、縦長に形成された中空の筐体からなり、その底面には４個の移動用のキャスタ１１が取り付けられている。操作部６は、電源をＯＮ／ＯＦＦする電源スイッチ１２と、緊急時に光脱毛装置１の動作を緊急停止させる緊急停止スイッチ１３と、操作パネル１４等によって構成されている。操作パネル１４は、カラー液晶タッチパネルディスプレイとＣＰＵボードを組み合わせたもので、主電源及びハンドピース３Ａ，３Ｂの操作以外の操作も行うことができる。操作パネル１４は、ケーシング５の正面上部に適宜角度だけ傾斜させた状態で配設されている。
【００１７】
この操作パネル１４の機能としては、例えば、主電源スイッチが入ると同時にセルフチェック機能によって動作を開始し、不具合の有無を確認後、指定された初期操作画面を表示する。次に、例えば、操作パネル１４に表示された［トリートメント開始］アイコンにタッチすると、ハンドピース選択画面に入り、冷却水の温度及び各ハンドピースの先端温度が表示される。次の［ＳＴＡＲＴ］アイコンの操作により、ハンドピース３Ａ又は３Ｂによる脱毛処理が可能になる。その後、［ＳＴＯＰ］アイコンの操作により、ハンドピース３Ａ又は３Ｂのスタンバイ状態に戻る。なお、［ＳＴＡＲＴ］前に、光の発光に関する単射モードと連射モードとの切り替えを行うことができる。
【００１８】
図２に示すように、装置本体２の制御部７は、照射制御部１６と操作制御部１７とタイマ１８等を備えている。照射制御部１６は、第１のハンドピース３Ａ又は第２のハンドピース３Ｂの操作に基づき照射部２０を作動させてキセノン管２１を発光させ、矩形状に開口された照射窓２２を通して光線を照射するように制御する。照射窓２２は、サファイアからなる導光管によって構成されており、その大きさは、例えば、１．８ｃｍ×４．５ｃｍである。なお、発光のための仕様は、例えば、波長域：６３０〜１０００ｎｍ（脱毛）、５３０〜１０００ｎｍ（フォト・フェイシャル）、出力１〜７Ｊ／ｃｍ２、連続照射間隔：０．１〜０．５秒である。操作制御部１７は、第１のハンドピース３Ａ又は第２のハンドピース３Ｂの操作及びタイマ１８から供給される信号に基づいてハンドピース３Ａ、３Ｂに設けられた表示器２３を停止状態に設定するように制御する。
【００１９】
図２に示すように、冷却部８は、第１のハンドピース３Ａ及び第２のハンドピース３Ｂに設けられたキセノン管２１の発光に伴う発熱を冷却水で冷却するものである。更に、冷却部８は、キセノン管２１の冷却とともに、照射部２０の照射窓２２を冷却し、皮膚表面に光線を照射することによる火傷の発生を防止する。冷却部８は、冷却水を補給・貯水する冷却水タンク２６と、冷却水を送水する送水ポンプ２７等によって構成されている。冷却水タンク２６内には、例えばコイル状にパイプが巻かれ、パイプ内に冷却ガスを通して冷却水を冷却するチラーユニット２６Ａが設けられている。
【００２０】
チラーユニット２６Ａは、冷却水タンク２６内に設けられ、冷却水タンク２６内の水を冷却する。この冷却水タンク２６内で冷却された水は、送水ポンプ２７により冷却水パイプ２８を通して循環され、第１のハンドピース３Ａ及び第２のハンドピース３Ｂの照射部２０に設けたキセノン管２１及び照射窓２２を冷却する。冷却水タンク２６には、その内部に流れる冷却水を検出する水流センサ２９が設けられている。
【００２１】
図３に示すように、冷却水パイプ２８は、冷却水タンク２６と送水ポンプ２７との間を直に接続する接続パイプ３１と、第１のハンドピース３Ａ及び第２のハンドピース３Ｂを介して冷却水タンク２６と送水ポンプ２７との間を接続する冷却水パイプ３２とからなっている。冷却水パイプ３２は、その回路の中途部において二股に分かれており、第１の分岐部３２Ａと第２の分岐部３２Ｂを有し、両分岐部３２Ａ，３２Ｂはその先で接続されて１本のパイプとなり、フィルタ３３を介して冷却水タンク２６に戻されている。この冷却水パイプ３２と接続パイプ３１により、冷却部８と第１のハンドピース３Ａ及び第２のハンドピース３Ｂを連通する循環パイプ３０が構成されている。
【００２２】
冷却水パイプ３２の第１の分岐部３２Ａは第１のハンドピース３Ａの内部に導入されており、第１のハンドピース３Ａの内部のキセノン管２１と照射窓２２等を冷却できるようになっている。第１のハンドピース３Ａの先端に直方体状に窪み部２４が設けられ、そこに、照射ランプとしてのキセノン管２１と照射窓２２を搭載した照射部としてのカセット２０が嵌め込まれる。カセット２０の出口側に照射窓２２が開けられ、サファイアからなる導光管で紫外線がカットされて、キセノン管２１後方の反射板の作用により、照射窓２２に対して垂直方向に揃った光が照射される。キセノン管２１は冷却水に触れないように、窪み部２４の周囲は熱伝導率の高い金属板等の仕切板で仕切られ、カセット２０を周囲３方向から仕切板を隔てて冷却水で冷却している。
【００２３】
さらに、カセット２０と冷却水の間の仕切板にペルチェ素子２５が設けられ、キセノン管２１の熱を冷却水に流し込んでいる。ペルチェ素子２５は、ペルチェ効果を利用した熱電素子であり、ハンドピ−スに内蔵することにより、照射熱による温度上昇を軽減するのみでなく、肌に心地よい冷えた感触を実現する。このようにして、ペルチェ素子２５とチラーユニット２６Ａとを用いて、第１のハンドピース３Ａの内部のキセノン管２１と照射窓２２を効率的に冷却している。同様に、冷却水パイプ３２の第２の分岐部３２Ｂは第２のハンドピース３Ｂの内部に導入されており、同様に、窪み部２４にキセノン管２１と照射窓２２を搭載した照射部としてのカセット２０が嵌め込まれ、さらにペルチェ素子２５が使用されており、これにより、第２のハンドピース３Ｂの内部のキセノン管２１と照射
窓２２等を効率的に冷却できるようになっている。これにより、送水ポンプ２７を動作させて冷却水パイプ３２内に冷却水を流すことにより、２個のハンドピース３Ａ，３Ｂのキセノン管２１と照射窓２２は常に同時に冷却される。
【００２４】
図１に示すように、装置本体２のケーシング５の正面上部には、操作パネル１４を挟むように配置された２個のピース受け部３５が設けられている。これらのピース受け部３５に対して、第１のハンドピース３Ａ及び第２のハンドピース３Ｂが個別に、且つ、着脱可能に保持されている。
【００２５】
図１及び図２に示すように、２個のハンドピース３Ａ，３Ｂは同一構造、同一性能のものであり、ハンドピース本体３７と、照射部２０と、キセノン管２１と、照射窓２２と、表示器２３と、照射ボタン４０と、照射カウンタ４１等により構成されている。ハンドピース３Ａ，３Ｂは、グリップ部又は本体部を手で掴み、脱毛処理を行う部位に照射部２０を対向させて操作するものである。各ハンドピース３Ａ，３Ｂは、接続ケーブル４を介して装置本体２に接続されている。即ち、各ハンドピース３Ａ，３Ｂの一端に２本の接続ケーブル４の夫々一端が接続され、各接続ケーブル４の他端が接続コネクタ４２を介して、装置本体２の正面に設けた接続ユニット４３に接続されている。
【００２６】
第１のハンドピース３Ａ及び第２のハンドピース３Ｂに供給された冷却水は、チャンバー内を循環し、キセノン管２１との間で熱変換して冷却した後、冷却水タンク２６に戻る。冷却水タンク２６内での冷却はチラーユニット２６Ａを使用し、例えば、コイル状に巻かれたパイプ内に冷媒（ガス）を通して、冷却水タンク２６内の精製水を冷却する。第１のハンドピース３Ａ及び第２のハンドピース３Ｂは、その出力を制御することにより、人体用の脱毛処理装置として用いることができ、また、顔用の脱毛処理装置として用いることもできる。また、予め出力の異なる２種類のハンドピースを用意して、それらのハンドピースを目的に応じて差し替える構成とすることもできる。
【００２７】
フォト・フェイシャルと呼ばれる周波数領域（５３０ｎｍ付近）を照射するハンドピースを使用する際に、装置本体２の交換を必要とすることなく、ハンドピースの交換動作のみで自動的に判別することができる。この点に関して、フォト・フェイシャル用ハンドピースの内部に所定の機能を備えたメモリチップを搭載し、装置本体にハンドピースを接続する際に当該メモリチップから特殊信号を発信することにより、自動的にハンドピースの種類を識別することが可能となる。その結果、脱毛用ハンドピース（６３０ｎｍ付近）とフォト・フェイシャル用ハンドピース（５３０ｎｍ付近）との違いを装置本体の交換無しで識別し、自動認識が可能となる。これにより、照射光の出力と波長の異なる複数種類のハンドピースをワンタッチで交換可能に構成できる。この場合、ハンドピースの種類に応
じて、制御回路を切り替えても良く、１つの制御回路で制御パラメータを変えても良い。
【００２８】
図４Ａは、本発明に係る超高速光脱毛（Ｓ．Ｈ．Ｒ方式）による出力波形と従来の光脱毛による波形を比較して現した例を示す図で、符号６１は従来の方式により出力波形、符号６２は超高速光脱毛（Ｓ．Ｈ．Ｒ方式）による出力波形である。超高速光脱毛（Ｓ．Ｈ．Ｒ方式）による仕組みは、弱い出力を瞬間的に連射し、エネルギーを重ねていく蓄熱方式を主軸として、肌表面をクリスタルを滑らせるように施術していくものである。そのため、施術時間も大幅に短縮でき、また、肌への負担も抑えることができるので、より肌トラブルのリスクなく、確実な脱毛を行うことができる。
【００２９】
従来の光脱毛装置の出力パルスは、時間の経過と共に、パルスの出力が減衰してしまう。第２番目のパルスは第１番目のパルスより低出力（例えば９０％）になり、第３番目のパルスはさらに低出力となる。そして、何度かパルスを続けて出力すると、使用に適さない出力となる。そうすると、パルスを発生させるために充電に時間が掛かってしまい、時間ロスが生じてしまう。
【００３０】
本実施例における制御部７は、大きな出力を保持可能なコンデンサと、１つのパルスを複数の小パルスに分割する手段と、分割された小パルスを連結して合成パルスを形成する手段と、合成パルスを時間の経過と共に減衰させないようにする手段とを有し、安定な光の連射を可能としている。すなわち、パルスを生成するにあたり、大きな出力を出せるように、大きな出力を保持可能なコンデンサを有する。例えば、大容量電解コンデンサ（１９０００ＭＦＤ／４５０ＶＤＣ）を２個設置している。つまり、十分な出力を出せる能力を保持する。そして、１つのパルスを複数の小パルスに分割する。さらに、複数の小パルスを集めて連結し合成パルスを形成する。例えば、最初は５個の小パルスを連結し、次に６個の小パルスを連結し、次に７個の小パルスを連結していけば、パルスの出力が次第に低下したとしても、一定出力のパルスを形成していくことが可能になる。このようにして、連続したパルスで出力が安定したパルスを形成することができる。
【００３１】
また、合成パルスを時間の経過と共に減衰させないようにするために、コンデンサの充電状況と大きなパルスの出力を監視し、連結すべきパルス数を算出する手段を有する。そして、複数の小パルスを集めて連結し合成パルスを形成する手段に算出したパルス数を提供する。この結果、連結した合成パルスを等間隔で発生して、長時間継続して出力が安定したパルスを形成することができる。
【００３２】
図４Ｂは、本発明に係る超高速光脱毛（Ｓ．Ｈ．Ｒ方式）による出力測定結果の例を示すものである。操作パネル１４に表示される［ＬＥＶＥＬ］アイコンにより発光強度（レベル）を設定することができる。ＬＥＶＥＬの範囲は、ＬＥＶＥＬ０１からＬＥＶＥＬ２０までの２０段階であり、最強レベルは、ＬＥＶＥＬ２０である。図５に示した数値は、ＬＥＶＥＬ０１からＬＥＶＥＬ２０までの設定時電圧と測定時電圧、及び照射窓２２の目標値（Ｊ：ジュール）と測定値（Ｊ：ジュール）を示している。
【００３３】
本実施例の操作パネル１４によれば、急速冷却が可能なので、電源ＯＮと同時に冷却をスタートし、直ちに０℃以下になることができる。
【００３４】
本実施例に係る光脱毛装置１が優れている点は、左右２個のハンドピース３Ａ，３Ｂにおいて同時に冷却が可能なことである。例えば、まず第１のハンドピース３Ａで施術を行い、連射が重なり温度が上がってきたと感じたら、第２のハンドピース３Ｂに持ち替えて施術を続ける。更に、第２のハンドピース３Ｂで施術を続け、連射が重なり温度が上がってきたと感じたら、再び第１のハンドピース３Ａに持ち替えて施術を続けることができ、途切れることなく施術を行うことができる。また、オプションのフォトハンドル（ハンドピース）を、例えば、第２のハンドピース側に装着すれば、第１のハンドピース３Ａは脱毛作業に、第２のハンドピース３Ｂはフォト作業として、異なる施術を行うことができ、施術の幅を広げることができる。
【００３５】
図５Ａは、本実施例に係る光脱毛装置１のハンドピース３の例を示す斜視図である。ハンドピース３は、ハンドピース３Ａ，３Ｂを総称して示すものである。ハンドピース３は、照射部２０を含んで構成される。照射部２０はカセット形式で、照射ランプ（キセノン管）２１と光導波部品５０が収納ケース５１に内蔵され、冷却水ホース５２に接続用締め具５３により着脱可能に取り付けられている。
【００３６】
図５Ｂは、本実施例に係る光脱毛装置のハンドピース３内の光導波部品５０の例を示す斜視図である。光導波部品５０は、例えば合成石英で、例えば直方体状に形成されており、照射ランプ２１からの光が照射ランプ２１側の端面から導入され、境界面で反射されながら、照射ランプ２１と反対側の端面から出射される。直方体の六面は光学研磨され、照射ランプ２１側の端面から入射された光が側面で反射され、照射ランプ２１と反対側の端面から効率的に出射されるように、設計されている。収納ケース５１の底側に照射ランプ２１が収納され、次いで、光導波部品５０が収納ケース５１に側面が囲まれ、接触するように収納される。収納ケース５１はハンドピース３に設けられた図示しない凹状孔にカセット形式で嵌め込まれる。そして、ハンドピース３内部で、凹状孔の外側に冷却水ホース５２から冷却水が供給されて、照射ランプ２１及び光導波部品５０が冷却される。収納ケース５１及び凹状孔は冷却効果を高めるために、例えば熱伝導率が高い金属で構成される。
【００３７】
図５Ｂに示すように、光導波部品５０は直方体状に構成され、直方体状で人体に当接する辺又は角の部分が丸みを帯びるように構成されている。図５Ｂでは直方体の２辺が、丸みを帯びるように構成されている。丸みの程度は例えば１ｍｍφないし１０ｍｍφである。光導波部品５０の寸法は照射ランプ２１の寸法に対応して変化し、例えば、３０〜１００ｍｍ×３０〜６０ｍｍ×１０〜４０ｍｍである。光導波部品５０の形状を略直方体状、例えば直方体に近い台形や、四角錐としても良い。
これにより、ハンドピース３を人体表面に沿ってスムーズに移動させることができ、かつ人体を傷つける危険性が除かれる。また、直方体の辺や角が丸みを帯びているので、光が広角に広がり、人体の窪み等にも光を確実に照射できる。また、照射ランプ２１の電極には電気コードが繋がれるが、例えば電気コードを収納ケース５１の底、冷却水、ハンドピース３の外装部を通して、冷却水供給口の近傍からハンドピース３外に導いても良い。
【００３８】
図６Ａは、本実施例に係る光脱毛装置の準備の概略を説明する画像遷移図の例である。本機には、セルフチェック機能があり、主電源スイッチが入ると同時に動作し、不具合の有無を確認後、指定された初期操作画面に移る。
画面（ａ）は光脱毛装置の上面図でイニシャル画面である。２は装置本体、１２は電源スイッチ、１３は緊急停止スイッチ、１４は操作パネル、３５はピース受け部である。イニシャル画面はすぐに画面（ｂ）に遷移する。
画面（ｂ）は起動中画面である。「水流」及び「水温」の欄には水流及び水温は所定の流量、温度になると「ＯＫ」と表示される。「照射数」の欄には第１及び第２のハンドピース３Ａ，３Ｂの累積照射数が表示される。照射ランプ（キセノン管）２１の点灯の方法には点灯時毎に高電圧をかけるトリガー方式と非点灯時も微弱に電流を流し高速に点灯させることを可能にしたシマー方式がある。シマー」欄には第１及び第２のハンドピース３Ａ，３Ｂのシマー方式による点灯準備が可能になると「ＯＫ」と表示される。「ボルテージ」欄には、照射ランプ（キセノン管）２１に所定の電圧が供給されると「ＯＫ」と表示される。起動が完了し正常使用が可能になると画面（ｃ）に遷移する。
画面（ｃ）は設定画面のフロントページである。トリートメント開始アイコンにタッチするとハンドピース選択画面（ｄ）に遷移する。
画面（ｄ）はハンドピース選択画面である。第1のハンドピースと第２のハンドピースのいずれかを選択する。第1のハンドピース及び第２のハンドピースが共に冷却が完了し、それぞれ、−３℃、−６℃である旨が表示されている。温度の低い第２のハンドピース側のアイコン「ＳＥＬＥＣＴ」に人差指を置いた画像が表示されている。ここでは、第２のハンドピース側のアイコン「ＳＥＬＥＣＴ」を選択してタッチすると画面（ｅ）に遷移する。なお、第１のハンドピース側のアイコン「ＳＥＬＥＣＴ」を選択することも可能である（冷却完了であれば、使用できる）。
画面（ｅ）はオペレーション設定画面である。画面の誘導に従って進むと設定が完了する。アイコン「ＬＥＶＥＬ」で発光強度を設定できる。ＬＥＶＥＬ０１〜ＬＥＶＥＬ２０（最強）の２０段階に設定できる。また、単射（１パルスを照射）と連射（パルスを連発照射）を切り替えできる。連射の場合は、スピード（パルス間隔）を設定できる。ＳＰＥＥＤ０１〜ＳＰＥＥＤ０Ｘ（最速）のＸ段階に設定できる。「ＬＥＶＥＬ」と「ＳＰＥＥＤ」を設定すると、画面（ｆ）に遷移する。
画面（ｆ）はオペレーション開始画面である。画面（ｅ）のアイコン「ＳＴＡＲＴ」に人差指を置いた画像が表示され、アイコン「ＳＴＡＲＴ」にタッチすると、第２のハンドピースが設定に従って稼働する。
【００３９】
図６Ｂは、本発明の実施形態に係る光脱毛装置１による処理作業の概略工程を説明するフローチャートの例である。以下の処理は、主として装置本体２の制御部７が実行する。
ステップＳ００１では、操作者が電源スイッチをＯＮする等して、光脱毛装置１の準備を完了する。次のステップＳ００２では、被施術者と面談し、施術の方針を決定する。ステップＳ００３では、被施術者に対する施術用のデータを操作パネル１４から入力する。次のステップＳ００４では、被施術者がベッドに横たわる。
【００４０】
次に、ステップＳ００５に移行して、脱毛処理の対象外となる黒子（ホクロ）の位置をデータ情報で確認する（目視で確認する場合もある）。そして、ステップＳ００６では、黒子の位置に目標となるラベルを貼付する。
【００４１】
次に、ステップＳ００７に移行して、施術者がハンドピース３Ａ（又は３Ｂ）を手に持って照射部２０を人体に沿わせるように走査を開始する。次に、ステップＳ００８では、ハンドピース３Ａ（又は３Ｂ）を次の照射位置に移動する。照射位置は不連続、位置移動時は照射部２０をＯＦＦにする。照射位置ではデータ（照射位置、照射ヘッドの方向、照射強度、照射時間）に従い、照射を行う（データによらず、施術者の経験に基づき照射を行う場合もある）。
【００４２】
図７Ａは、体前面に施術を行う状態を説明するもので、ハンドピース３Ａ（又は３Ｂ）をジグザグに走査して光をジグザグに照射すると、施術時間を短縮して効率的な脱毛処理を行うことができる。図７Ｂは、体背面に施術を行う状態を説明するもので、ハンドピース３Ａ（又は３Ｂ）をジグザグに走査する点は同様である。
【００４３】
図８は、顔面に施術を行う状態を説明するもので、この場合には、施術の前に、目元、眉毛、髪の生え際をコットン５４等で覆い、その上にゴーグルを載せて目を保護するようにする。この施術においてハンドピース３Ａ（又は３Ｂ）は、ジグザグに走査するのではなく、全体を多数の区画５５に分けて各区画５５を順番に施術するように走査する。
【００４４】
ここで図６Ｂに戻る。そして、ステップＳ００９に移行して、ハンドピース３Ａ（又は３Ｂ）による光の照射を終了する。次に、ステップＳ０１０では、被施術者がベッドを離れる。そして、ステップＳ０１１に移行して、この施術によるデータを記録装置に入力し、このフローチャートによる処理を終了する（入力データは後の施術に参考になるので、入力した方がベターであるが、入力しない場合もある）。
【００４５】
図９Ａ，図９Ｂは、施術回数とハンドピース３Ａ（又は３Ｂ）の出力との関係の例を示したもので、図９Ａは、肌が正常な被施術者の場合、図９Ｂは、肌が弱い・色素が濃い被施術者の場合を示している。
【００４６】
図９Ａに示すように、肌が正常な被施術者の場合、
その１（イ）  毛が太い箇所（ワキ、ひじ下、ひざ下、Ｖライン）では、施術回数に応じて出力（図５に示すＬＥＶＥＬ１〜２０）を次のように設定することが好ましい。即ち、施術回数が１〜３回目のときはＬＥＶＥＬ６〜８、施術回数が４〜６回目のときはＬＥＶＥＬ９〜１０、施術回数が７〜１２回目のときはＬＥＶＥＬ１１〜１２とする。
その２（ロ）  産毛の箇所（ひじ上、ひざ上、ボディ、背中、指、襟足）では、施術回数に応じて出力（図５に示すＬＥＶＥＬ１〜２０）を次のように設定することが好ましい。即ち、施術回数が１〜３回目のときはＬＥＶＥＬ７〜９、施術回数が４〜６回目のときはＬＥＶＥＬ９〜１０、施術回数が７〜１２回目のときはＬＥＶＥＬ１１〜１３とする。
【００４７】
また、図９Ｂに示すように、肌が弱い・色素が濃い被施術者の場合、
その１（イ）  毛が太い箇所（ワキ、ひじ下、ひざ下、Ｖライン）では、施術回数が１〜３回目のときはＬＥＶＥＬ６〜７、施術回数が４〜６回目のときはＬＥＶＥＬ７〜９、施術回数が７〜１２回目のときはＬＥＶＥＬ９〜１０とする。
その２（ロ）  産毛の箇所（ひじ上、ひざ上、ボディ、背中、指、襟足）では、施術回数が１〜３回目のときはＬＥＶＥＬ７〜９、施術回数が４〜６回目のときはＬＥＶＥＬ９〜１０、施術回数が７〜１２回目のときはＬＥＶＥＬ１１〜１２とする。
【００４８】
本発明の第１の実施形態に係る光脱毛装置１によれば、脱毛用ハンドピースを２個設けるダブル冷却機構としたため、常時２個のハンドピースを冷却し、常に少なくとも１個のハンドピースを使用可能な状態に維持することができる。そのため、施術時には、ハンドピースの冷却を待つことなく、連続した施術が可能となり、より短時間での施術が可能となる。
【００４９】
また、本発明の第２の実施形態に係る光脱毛装置１によれば、連射機能（連続発光）が可能な機器において、コンデンサの容量を大きくしてチャージ能力を拡大すると共に回路構成に工夫を加えるようにしたため、大きな出力を保持することができ、連射発光時における出力の減衰を抑えることができる。その結果、連射時の施術において、照射回数の多少にかかわらず同じ熱量の光が放出されるため、従来のように照射回数とともにパルス出力が減衰するという事象を防止でき、安定した出力を保持して、施術における確実な効果を期待することができる。
【００５０】
本発明の第３の実施形態に係る光脱毛装置１によれば、フォト・フェイシャルと呼ばれる周波数領域（５３０ｎｍ付近）を照射するハンドピースを使用する際に、装置本体２の交換を必要とすることなく、ハンドピースの交換時にその機種を自動的に判別することができる。これにより、照射光の出力と波長の異なる複数種類のハンドピースをワンタッチで交換可能に構成できる。この場合、ハンドピースの種類に応じて、制御回路を切り替えても良く、１つの制御回路で制御パラメータを変えても良い。
【００５１】
以上説明したが、本発明は上記実施例に限定されるものではなく、均等の範囲内で種々の変形が可能であり、特許請求の範囲に記載された発明の範囲において様々な変更が可能であることは、当業者によって容易に理解されよう。
【符号の説明】
【００５２】
１…光脱毛装置、  ２…装置本体、  ３…ハンドピース、  ３Ａ…第１のハンドピース、  ３Ｂ…第２のハンドピース、  ４…接続ケーブル、  ５…ケーシング、  ６…操作部、  ７…制御部、  ８…冷却部、  １２…電源スイッチ、  １３…緊急停止スイッチ、  １４…操作パネル、  １６…照射制御部、  １７…操作制御部、  １８…タイマ、  ２０…照射部（カセット）、  ２１…照射ランプ（キセノン管）、  ２２…照射窓、２３…表示器、２４…窪み部、  ２５…ペルチェ素子、  ２６…冷却水タンク、  ２６Ａ…チラーユニット、  ２７…送水ポンプ、  ２８…冷却水パイプ、  ３０…循環パイプ、  ３１…接続パイプ、  ３２…冷却水パイプ、  ３２Ａ，３２Ｂ…分岐部、  ３３…フィルタ、３５…ピース受け部、  ３７…ハンドピース本体、  ４０…操作ボタン、  ４１…照射カウンタ、  ４２…接続コネクタ、  ４３…接続ユニット、  ５０…光導波部品、  ５１…収納ケース、  ５２…冷却水ホース、  ５３…接続用締め具
【図１】
2019213841.tif 000003
【図２】
2019213841.tif 000004
【図３】
2019213841.tif 000005
【図４Ａ】
2019213841.tif 000006
【図４Ｂ】
2019213841.tif 000007
【図５Ａ】
2019213841.tif 000008
【図５Ｂ】
2019213841.tif 000009
【図６Ａ】
2019213841.tif 000010
【図６Ｂ】
2019213841.tif 000011
【図７Ａ】
2019213841.tif 000012
【図７Ｂ】
2019213841.tif 000013
【図８】
2019213841.tif 000014
【図９Ａ】
2019213841.tif 000015
【図９Ｂ】
2019213841.tif 000016